(57)【要約】【課題】液晶テレビジョン調整システム、液晶表示装置調整システムおよび液晶表示装置において、ホワイトバランスの調整を、ダイナミックレンジ一杯まで調整することを可能とし、ホワイトバランス調整における精度を向上させることを目的とする。【解決手段】ＰＣ４０がＴＶ１００に白色の映像信号を出力し、ＴＶ１００の画面に表示される映像からＲＧＢ各色成分の輝度を測定して色度情報を生成し、ＲＧＢ色成分のいずれかの出力を所定量変化させて上記色度情報が変化するか否かを判断する。そして、色度情報が変化していないきはＴＶ１００のコントラストを所定量低下させ、色度情報の再取得・再判断を行う。一方、色度情報が変化しているときは色度情報が白色の色度情報と略一致したか否かを判断し、略一致したときは調整値をＥＥＰＲＯＭ１１２に記憶させ、略一致しないときは色度情報の再取得・再判断を行う。【選択図】図７
2007150480.tif 000002
【特許請求の範囲】
【請求項１】
アンテナから所定の放送方式によるアナログのテレビジョン信号を入力して中間周波信号を作成して出力するチューナと、
情報を書き換え可能な不揮発性の半導体メモリと、
入力されたアナログ映像信号をアナログ／デジタル変換するとともに、ＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、
入力されるＲＧＢ映像信号に基づき所定の画面に映像を表示する液晶モジュールと、
上記チューナと上記半導体メモリと上記スケーラＩＣと上記液晶モジュールとを制御するマイコンと、
を備える液晶テレビジョンと、
上記液晶テレビジョンの画面を撮像し、撮像した映像の輝度に対応する情報を出力可能なカラーアナライザを備え、
液晶テレビジョンの画面に白色のテストパターンを表示させ、
同画面に表示されたテストパターンを上記カラーアナライザにて撮像させ、
撮像させた映像の輝度に対応する情報を取得し、
取得した情報に応じてホワイトバランスを調整するための調整値を同液晶テレビジョンに設定するコンピュータと、
を備える液晶テレビジョン調整システムにおいて、
上記マイコンは、
ＲＧＢ映像信号のＲＧＢ色成分の出力比を設定することによりホワイトバランスの調整値を設定し、
上記コンピュータの制御によりコントラストを所定量低下させ、
上記コンピュータにより設定される調整値を上記半導体メモリに記憶させ、
上記コンピュータは、
上記液晶テレビジョンに対して基準信号であるところの白色の映像信号を出力し、
同出力された映像信号に基づいて上記液晶テレビジョンの画面に表示される映像をカラーアナライザにて撮像させ、
撮像させた映像の各ＲＧＢ色成分の輝度値を表す情報を取得して色度を表す情報を生成し、
高輝度においては上記画面に表示される映像のＲＧＢ色成分の出力を所定量上昇させて上記色度を表す情報が変化するか否かを判断し、
低輝度においては上記画面に表示される映像のＲＧＢ色成分の出力を所定量下降させて上記色度を表す情報が変化するか否かを判断し、
上記色度を表す情報が変化していないと判断したときは上記液晶テレビジョンを制御して上記画面のコントラストを所定量低下させ、
上記色度を表す情報が白色の色度を表す情報と略一致したとき上記液晶テレビジョンに調整値を設定する
ことを特徴とする液晶テレビジョン調整システム。
【請求項２】
入力される映像信号から第一色成分〜第三色成分で表現され、かつ、画面を構成する多数の画素別にデジタルの階調値で表現される映像データを生成するとともに、
上記映像データのホワイトバランスを調整する為の調整値を不揮発性の半導体メモリに記憶し、
同調整値を参照して上記映像データのホワイトバランス調整を行って映像を所定の画面に表示する液晶表示装置と、
同液晶表示装置にホワイトバランス調整の為の調整値を設定する調整装置と、
を備える液晶表示装置調整システムにおいて、
上記液晶表示装置は、
上記映像データの上記第一色成分〜第三色成分の出力比を設定することによりホワイトバランス調整の為の調整値を設定する調整値設定手段と、
上記調整装置の制御によりコントラストを所定量低下させるコントラスト調整手段と、
上記調整装置により設定される調整値を上記半導体メモリに記憶させる調整値記憶手段と、
を備え、
上記調整装置は、
上記液晶表示装置に対して白色の映像信号を出力する白映像信号出力手段と、
同出力された映像信号に基づいて同液晶表示装置の画面に表示される映像から上記第一色成分〜第三色成分の輝度を測定して色度情報を生成する色度情報取得手段と、
上記画面に表示される映像の第一色成分〜第三色成分の出力を所定量変化させて上記色度情報が変化するか否かを判断する色度飽和判断手段と、
上記色度飽和判断手段にて上記色度情報が変化していないと判断されたとき、上記液晶表示装置を制御して上記画面のコントラストを所定量低下させるコントラスト調整指示手段と、
上記色度飽和判断手段にて上記色度情報が変化していると判断されたとき、上記色度情報が白色の色度情報と略一致したか否かを判断する色度判定手段と、
上記液晶表示装置に所定の調整値を設定する調整値設定手段と、
を備えることを特徴とする液晶表示装置調整システム。
【請求項３】
高輝度にてホワイトバランスの調整を行う場合、
上記色度飽和判断手段は、上記第一色成分〜第三色成分のいずれかの出力を所定量上昇させて上記色度情報が変化するか否かを判断することを特徴とする上記請求項２に記載の液晶表示装置調整システム。
【請求項４】
低輝度にてホワイトバランスの調整を行う場合、
上記色度飽和判断手段は、上記第一色成分〜第三色成分のいずれかの出力を所定量下降させて上記色度情報が変化するか否かを判断することを特徴とする上記請求項２または上記請求項３に記載の液晶表示装置調整システム。
【請求項５】
上記液晶表示装置は、
アンテナを介して所望周波数のテレビジョン信号を受信するとともに受信したテレビジョン信号から所要の信号だけを選択しアナログ映像信号を出力するチューナと、
情報を書き換え可能な不揮発性の半導体メモリと、
入力されたアナログ映像信号をアナログ／デジタル変換するとともに、ＲＧＢ色成分で表現されるＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、
入力される映像信号に基づき所定の画面に映像を表示する液晶モジュールと、
これらを制御するマイコンと、
を備えることを特徴とする上記請求項２〜４のいずれかに記載の液晶表示装置調整システム。
【請求項６】
入力される映像信号から第一色成分〜第三色成分で表現され、かつ、画面を構成する多数の画素別にデジタルの階調値で表現される映像データを生成するとともに、
上記映像データのホワイトバランスを調整する為の調整値を不揮発性の半導体メモリに記憶し、
同調整値を参照して上記映像データのホワイトバランス調整を行って映像を所定の画面に表示する液晶表示装置であって、
入力される映像信号の上記第一色成分〜第三色成分の出力比を設定することによりホワイトバランス調整の為の調整値を設定する調整値設定手段と、
上記画面に白色の映像信号を出力する白映像信号出力手段と、
同出力された映像信号に基づいて同液晶表示装置の画面に表示される映像の、上記第一色成分〜第三色成分の輝度を測定して色度情報を取得する色度情報取得手段と、
上記画面に表示される映像の第一色成分〜第三色成分の出力を所定量変化させて上記色度情報が変化するか否かを判断する色度飽和判断手段と、
上記色度飽和判断手段にて上記色度情報が変化していないと判断されたとき、上記液晶表示装置を制御して上記画面のコントラストを所定量低下させるコントラスト調整手段と、
上記色度飽和判断手段にて上記色度情報が変化していると判断されたとき、上記色度情報が白色の色度情報と略一致したか否かを判断する色度判定手段と、
調整値を不揮発性メモリに記憶する調整値記憶手段と、
を備えることを特徴とする液晶表示装置。
【発明の詳細な説明】
【技術分野】
【０００１】
本発明は、ホワイトバランスの調整を行う液晶テレビジョン調整システム、液晶表示装置調整システムおよび液晶表示装置に関する。
【背景技術】
【０００２】
表示装置で色を再現するためには、映像信号の色信号と、表示装置に表示される色とを十分に対応させる必要がある。とりわけ、色の表示に欠かせないのは無彩色である白色であり、白色の色度点が無彩色の階調変化によって変わるようなことがあってはならない。この点、ブラウン管表示装置では、入力対輝度特性がＲＧＢ間で比較的良く揃っているため、ブラウン管のＲＧＢカットオフ点と映像信号の黒レベルとを揃え、ＲＧＢ間の振幅比をアンプゲインで決めておけば、同じＲＧＢ入力レベルに対して色度一定の白色を再現することができる。
しかしながら、液晶表示装置では、ブラウン管表示装置とは入力対輝度特性が異なり、ＲＧＢ間の比も一定でないため、階調レベルに応じて白色の色度が変化してしまい、正確な色再現ができないといった問題が発生する。
【０００３】
特許文献１には、予め液晶パネルのＶ−Ｔ特性も含めてホワイトバランスが取れるように作成されたルックアップテーブルにて、ホワイトバランスの調整を行う液晶表示装置について開示されている。
特許文献２には、映像信号の出力レベルが基準電圧を超えると、利得制御信号のレベルを調整する帰還回路を設けたホワイトバランス回路について開示されている。
特許文献３には、平均映像レベル（ＡＬＰ）検出回路によりＲＧＢ信号からＡＬＰを検出し、ＡＬＰが高いときは白色の色度を一定としつつ利得を下げることにより黒レベルを低下させ、ＡＬＰが低いときはＲＧＢ比に関わらず利得を上げることにより黒レベルの低下を抑える液晶表示装置について開示されている。
【特許文献１】特開２００１−２３８２２７号
【特許文献２】特開平０８−３１７４１７号
【特許文献３】特開平１１−３０５７３４号
【発明の開示】
【発明が解決しようとする課題】
【０００４】
従来、液晶テレビなどの自発光でないタイプのディスプレイにおいては、ＲＧＢの出力を上げていくと、各色の液晶セルの開口が１００％となった時点で、色が飽和するため、それ以上出力を上げても調整自体が出来なかった。しかも、バックライトランプにおける色度のばらつき、液晶セルのばらつきなどを考慮すると、ダイナミックレンジの極めて内側でのホワイトバランスの調整をする必要があった。つまり、２点トラッキング法にてホワイトバランスの調整をする場合、図８のように、高輝度側のホワイトバランス調整を開始する液晶セルの開口率を７０％、低輝度側のホワイトバランス調整を開始する液晶セルの開口率を４０％、などのように調整の為のマージン（高輝度側：７０％〜１００％、低輝度側：４０％〜０％）を確保する必要があり、ホワイトバランスの精度が出なかった。
【０００５】
本発明では、液晶テレビジョン調整システム、液晶表示装置調整システムおよび液晶表示装置において、ホワイトバランスの調整を、ダイナミックレンジ一杯まで調整することを可能とし、ホワイトバランス調整における精度を向上させることを目的とする。
【課題を解決するための手段】
【０００６】
上記課題を解決するために、本発明の請求項１に記載の液晶テレビジョン調整システムでは、アンテナから所定の放送方式によるアナログのテレビジョン信号を入力して中間周波信号を作成して出力するチューナと、情報を書き換え可能な不揮発性の半導体メモリと、入力されたアナログ映像信号をアナログ／デジタル変換するとともに、ＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、入力されるＲＧＢ映像信号に基づき所定の画面に映像を表示する液晶モジュールと、上記チューナと上記半導体メモリと上記スケーラＩＣと上記液晶モジュールとを制御するマイコンと、を備える液晶テレビジョンと、上記液晶テレビジョンの画面を撮像し、撮像した映像の輝度に対応する情報を出力可能なカラーアナライザを備え、液晶テレビジョンの画面に白色のテストパターンを表示させ、同画面に表示されたテストパターンを上記カラーアナライザにて撮像させ、撮像させた映像の輝度に対応する情報を取得し、取得した情報に応じてホワイトバランスを調整するための調整値を同液晶テレビジョンに設定するコンピュータと、を備える液晶テレビジョン調整システムにおいて、上記マイコンは、ＲＧＢ映像信号のＲＧＢ色成分の出力比を設定することによりホワイトバランスの調整値を設定し、上記コンピュータの制御によりコントラストを所定量低下させ、上記コンピュータにより設定される調整値を上記半導体メモリに記憶させ、上記コンピュータは、上記液晶テレビジョンに対して基準信号であるところの白色の映像信号を出力し、同出力された映像信号に基づいて上記液晶テレビジョンの画面に表示される映像をカラーアナライザにて撮像させ、撮像させた映像の各ＲＧＢ色成分の輝度値を表す情報を取得して色度を表す情報を生成し、高輝度においては上記画面に表示される映像のＲＧＢ色成分の出力を所定量上昇させて上記色度を表す情報が変化するか否かを判断し、低輝度においては上記画面に表示される映像のＲＧＢ色成分の出力を所定量下降させて上記色度を表す情報が変化するか否かを判断し、上記色度を表す情報が変化していないと判断したときは上記液晶テレビジョンを制御して上記画面のコントラストを所定量低下させ、上記色度を表す情報が白色の色度を表す情報と略一致したとき上記記液晶テレビジョンに調整値を設定する構成としてある。
【０００７】
また、上記目的を達成するために、請求項２に記載の液晶表示装置調整システムでは、入力される映像信号から第一色成分〜第三色成分で表現され、かつ、画面を構成する多数の画素別にデジタルの階調値で表現される映像データを生成するとともに、上記映像データのホワイトバランスを調整する為の調整値を不揮発性の半導体メモリに記憶し、同調整値を参照して上記映像データのホワイトバランス調整を行って映像を所定の画面に表示する液晶表示装置と、同液晶表示装置にホワイトバランス調整の為の調整値を設定する調整装置と、を備える液晶表示装置調整システムにおいて、上記液晶表示装置は、上記映像データの上記第一色成分〜第三色成分の出力比を設定することによりホワイトバランス調整の為の調整値を設定する調整値設定手段と、上記調整装置の制御によりコントラストを所定量低下させるコントラスト調整手段と、上記調整装置により設定される調整値を上記半導体メモリに記憶させる調整値記憶手段と、を備え、上記調整装置は、上記液晶表示装置に対して白色の映像信号を出力する白映像信号出力手段と、同出力された映像信号に基づいて同液晶表示装置の画面に表示される映像から上記第一色成分〜第三色成分の輝度を測定して色度情報を生成する色度情報取得手段と、上記画面に表示される映像の第一色成分〜第三色成分の出力を所定量変化させて上記色度情報が変化するか否かを判断する色度飽和判断手段と、上記色度飽和判断手段にて上記色度情報が変化していないと判断されたとき、上記液晶表示装置を制御して上記画面のコントラストを所定量低下させるコントラスト調整指示手段と、上記色度飽和判断手段にて上記色度情報が変化していると判断されたとき、上記色度情報が白色の色度情報と略一致したか否かを判断する色度判定手段と、上記液晶表示装置に所定の調整値を設定する調整値設定手段と、を備える構成としてある。
【０００８】
つまり、上記調整値設定手段が上記映像データの上記第一色成分〜第三色成分の出力比を設定することによりホワイトバランスを調整する為の調整値を設定した後、上記白映像信号出力手段が上記液晶表示装置に対して白色の映像信号を出力し、上記色度情報取得手段が同出力された映像信号に基づいて同液晶表示装置の画面に表示される映像から上記第一色成分〜第三色成分の輝度を測定して色度情報を生成すると、上記色度飽和判断手段が上記画面に表示される映像の第一色成分〜第三色成分の出力を所定量変化させて上記色度情報が変化するか否かを判断する。そして、上記コントラスト調整指示手段は上記色度飽和判断手段にて上記色度情報が変化していないと判断したとき、上記液晶表示装置を制御して上記画面のコントラストを所定量低下させ、上記コントラスト調整手段が上記調整装置の制御によりコントラストを所定量低下させて、上記色度情報取得手段に色度情報を再取得させる。また、上記色度判定手段は、上記色度飽和判断手段にて上記色度情報が変化していると判断されたとき、上記色度情報が白色の色度情報と略一致したか否かを判断し、略一致したときは上記調整値設定手段に上記液晶表示装置に所定の調整値を設定させ、上記調整値記憶手段が上記調整装置により設定される調整値を上記半導体メモリに記憶させる。一方、略一致しないときは色度情報取得手段が色度情報の再取得を行わせる。
【０００９】
そして、請求項３にかかる発明では、上記請求項２に記載の液晶表示装置調整システムにおいて、高輝度にてホワイトバランスの調整を行う場合、上記色度飽和判断手段は、上記第一色成分〜第三色成分のいずれかの出力を所定量上昇させて上記色度情報が変化するか否かを判断する構成としてある。
【００１０】
さらに、請求項４にかかる発明では、上記請求項２または上記請求項３に記載の液晶表示装置調整システムにおいて、低輝度にてホワイトバランスの調整を行う場合、上記色度飽和判断手段は、上記第一色成分〜第三色成分のいずれかの出力を所定量下降させて上記色度情報が変化するか否かを判断する構成としてある。
【００１１】
また、請求項５にかかる発明では、上記請求項２〜４のいずれかに記載の液晶表示装置調整システムにおいて、上記液晶表示装置は、アンテナを介して所望周波数のテレビジョン信号を受信するとともに受信したテレビジョン信号から所要の信号だけを選択しアナログ映像信号を出力するチューナと、情報を書き換え可能な不揮発性の半導体メモリと、入力されたアナログ映像信号をアナログ／デジタル変換するとともに、ＲＧＢ色成分で表現されるＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、入力される映像信号に基づき所定の画面に映像を表示する液晶モジュールと、これらを制御するマイコンと、を備える構成としてある。
【００１２】
そして、請求項６にかかる液晶表示装置では、入力される映像信号から第一色成分〜第三色成分で表現され、かつ、画面を構成する多数の画素別にデジタルの階調値で表現される映像データを生成するとともに、上記映像データのホワイトバランスを調整する為の調整値を不揮発性の半導体メモリに記憶し、同調整値を参照して上記映像データのホワイトバランス調整を行って映像を所定の画面に表示する液晶表示装置であって、入力される映像信号の上記第一色成分〜第三色成分の出力比を設定することによりホワイトバランス調整の為の調整値を設定する調整値設定手段と、上記画面に白色の映像信号を出力する白映像信号出力手段と、同出力された映像信号に基づいて同液晶表示装置の画面に表示される映像の、上記第一色成分〜第三色成分の輝度を測定して色度情報を取得する色度情報取得手段と、上記画面に表示される映像の第一色成分〜第三色成分の出力を所定量変化させて上記色度情報が変化するか否かを判断する色度飽和判断手段と、上記色度飽和判断手段にて上記色度情報が変化していないと判断されたとき、上記液晶表示装置を制御して上記画面のコントラストを所定量低下させるコントラスト調整手段と、上記色度飽和判断手段にて上記色度情報が変化していると判断されたとき、上記色度情報が白色の色度情報と略一致したか否かを判断する色度判定手段と、調整値を不揮発性メモリに記憶する調整値記憶手段と、を備える構成としてある。
【００１３】
つまり、上記調整値設定手段が入力される映像信号の上記第一色成分〜第三色成分の出力比を設定することによりホワイトバランスを調整する為の調整値を設定し、上記白映像信号出力手段が上記画面に白色の映像信号を出力し、上記色度情報取得手段が同出力された映像信号に基づいて同液晶表示装置の画面に表示される映像の上記第一色成分〜第三色成分の輝度を測定して色度情報を取得して、上記色度飽和判断手段が上記画面に表示される映像の第一色成分〜第三色成分の出力を所定量変化させて上記色度情報が変化するか否かを判断する。そして、上記コントラスト調整指示手段は上記色度飽和判断手段にて上記色度情報が変化していないと判断したとき、上記コントラスト調整手段が上記調整装置の制御によりコントラストを所定量低下させて、上記色度情報取得手段に色度情報を再取得させる。また、上記色度判定手段は、上記色度飽和判断手段にて上記色度情報が変化していると判断されたとき、上記色度情報が白色の色度情報と略一致したか否かを判断し、略一致したときは上記調整値記憶手段に調整値を上記半導体メモリに記憶させる。一方、略一致しないときは色度情報取得手段が色度情報の再取得を行わせる。 
【発明の効果】
【００１４】
以上説明したように本発明によれば、調整値以上の高輝度側、調整値以下の低輝度側においても、意図するホワイトバランス調整が可能となり、設計値に近い白色を実現することが可能となる。また、製品毎のバラツキが吸収され、品質のよい製品を提供できる。そして、仕向地等により設計値が異なる場合、個別に調整方法を決めていたが、同一の環境でのホワイトバランスの調整が可能となり、統一した環境での生産が可能となる。さらに、製品ごとのバラツキを考慮せずに、ダイナミックレンジ一杯まで使用した調整が可能となる。
【発明を実施するための最良の形態】
【００１５】
以下、下記の順序に従って本発明の実施形態を説明する。
（１）テレビジョン調整システムの構成：
（２）ホワイトバランス調整方法：
（３）調整用コンピュータの構成：
（４）ホワイトバランス調整処理と液晶テレビジョン調整方法の説明：
（５）まとめ：
【００１６】
（１）テレビジョン調整システムの構成：
図１は本発明の一実施形態にかかる液晶テレビジョン調整システム１０の一例の概略構成を示すシステム構成図であり、図３は液晶テレビジョン（ＴＶ）１００の構成を示すブロック図である。
本発明の液晶テレビジョン調整装置１１は、カラーアナライザ３０と、調整用コンピュータであるパーソナルコンピュータ（ＰＣ）４０とから構成されている。また、本システム１０は、同液晶テレビジョン調整装置１１と、ＴＶ１００とから構成されている。調整の対象となるＴＶ１００は、所定の信号ケーブル２９を介してＰＣ４０に接続されるとともに、別の所定の信号ケーブル４９を介してもＰＣ４０に接続されている。
【００１７】
図２は、カラーアナライザ３０の構成を示すブロック図である。カラーアナライザ３０は、光学系として、ＣＣＤ撮像素子３１、このＣＣＤ撮像素子３１を接続したコントローラ３２ａやレンズ制御系３２ｂ等を備えている。また、制御系として、内部のバスに接続されたＣＰＵやＲＯＭやＲＡＭやＩ／Ｏポート等を備えるマイコン３３ａ、コントローラ３２ａに接続されるとともにＣＣＤ撮像素子３１を接続したアナログ／デジタル変換回路（Ａ／Ｄ変換回路）３３ｂ、所定の信号ケーブル３９を接続したインターフェイス（Ｉ／Ｆ）３３ｃ、等が、システムバス３０ａに接続されている。マイコン３３ａのＩ／Ｏポートにはコントローラ３２ａが接続されており、マイコン３３ａはコントローラ３２ａの動作を制御しながらバス３０ａを介してＡ／Ｄ変換回路３３ｂからデジタルの輝度値（測定値）を読み込んでＩ／Ｆ３３ｃから外部に出力することが可能である。このＩ／Ｆ３３ｃにケーブル３９を介してＰＣ４０が接続されている。
【００１８】
以上の構成により、ＣＣＤ撮像素子を有するカラーアナライザ３０は、ＰＣ４０からの撮像指示を表す信号を入力すると、ＴＶ１００の表示画面１９９を撮像し、ＣＣＤ撮像素子３１にてＣＣＤ撮像素子別に輝度を対応する電圧として検出し、Ａ／Ｄ変換回路３３ｂにて検出した電圧に対応するデジタルの電圧値（０〜２５５の２５６階調）に変換し、変換後の電圧値を輝度値として検出する。また、Ｉ／Ｆ３３ｃ、ケーブル３９を介してＰＣ４０からＴＶ１００に出力される階調値を取得しており、輝度値とＰＣ４０からＴＶ１００に出力される階調値との対応関係が判明するようになっている。そして、輝度値とＰＣ４０からＴＶ１００に出力される階調値との対応関係を示すデータをＩ／Ｆ３３ｃ、ケーブル３９を介してＰＣ４０に対して出力する。
【００１９】
図３は、液晶テレビジョン（ＴＶ）１００の構成を示すブロック図である。ＴＶ１００は、電源装置１９０、本体部１０１、インバータ１８６、液晶モジュール（液晶表示部）１８０等から構成されている。電源装置１９０は、本体部１０１、インバータ１８６、液晶モジュール（液晶表示部）１８０に対して所定電圧の直流電圧を供給している。インバータ１８６は、電源装置１９０からの直流電圧を入力し、高電圧を発生させて液晶モジュール１８０のバックライト１８５に供給する。
【００２０】
本体部１０１は、図２に示す各部１０３，１１０，１１１，１１２，１２０，１２２，１２３，１３０，ＣＬＫ１，ＣＬＫ２、等から構成されている。クロックラインＳＣＬとデータラインＳＤＡとから構成されるＩＩＣバス１０２には、ＩＩＣバスデータポート１０３、マイコン１１０、ＥＥＰＲＯＭ（商標）１１２、アンテナ１２１の接続された公知のチューナＩＣを中心としたチューナ回路１２０、ビデオ信号処理部１３０のＩ／Ｆ１６４、等が接続されている。これらの回路は互いにＩＩＣバス１０２を介して接続され、シリアルデータを送受信する。チューナ回路１２０は、別の信号線を介して直接接続されたマイコン１１０から同信号線を介して入力される信号に基づく制御により動作するようになっている。ＥＥＰＲＯＭ（商標）１１２は、情報を書き換え可能な不揮発性の半導体メモリに相当する。
【００２１】
発振回路ＣＬＫ２からクロック信号が供給されて動作するビデオ信号処理部１３０は、主要部がＩＣとされ、各部１４０，１５０，１６１〜１６４等から構成されている。さらに、ＲＧＢ信号生成部１４０は各部１４１〜１４５等から構成され、ＲＧＢ信号処理部１５０は各部１５１〜１５５等から構成されている。
【００２２】
マイコン１１０は、発振回路ＣＬＫ１や操作パネル１１１や図示しないリモコン信号受光部が直接接続されており、操作パネル１１１等への操作入力に対応するデータを同操作パネル１１１等から入力可能とされている。また、マイコン１１０は、内部のバスに接続されたＣＰＵ、ＲＯＭ、ＲＡＭ、複数のＩ／Ｏポート、図示しないタイマ回路、等を備えており、ＣＰＵがＲＯＭやＥＥＰＲＯＭ（商標）１１２に書き込まれた内部回路制御用のプログラムに従ってＴＶ全体を制御することにより、ＴＶとしての機能を実現している。
【００２３】
ＥＥＰＲＯＭ（商標）１１２は、液晶モジュール１８０の表示におけるホワイトバランスの調整を行う際に参照するＲＧＢ各色の調整値に対応する情報が格納される。同情報としては、ＲＧＢ各色の調整値を表すものであってもよいし、色度信号のＩＱ信号の調整値を表すものであってもよいし、ＲＧＢ各色の混合比を示すものであればいかなるものであってもよい。ＥＥＰＲＯＭ（商標）１１２は情報を書き換え可能な不揮発性の半導体メモリを構成する。
【００２４】
チューナ回路１２０は、主要部がＩＣとされたアナログテレビジョン用の公知の回路であり、アンテナ１２１から所定の放送方式によるアナログのテレビジョン信号（映像信号の一種）を入力して中間周波信号を作成して出力することが可能である。所定の放送方式にはＰＡＬ方式、ＳＥＣＡＭ方式、ＮＴＳＣ方式等があり、チューナ回路は複数の種類の放送方式のＴＶ信号を入力して中間周波信号を生成する回路であってもよい。本回路１２０はいわゆる周波数シンセサイザ方式のチューナを内蔵しており、図示しない高周波増幅回路、局部発振回路、混合回路等を備えている。むろん、電圧シンセサイザ方式等であってもよい。
【００２５】
スイッチ回路１２２は、主要部がＩＣとされており、マイコン１１０とチューナ回路１２０とコンポジット映像入力端子１２３が接続されている。スイッチ回路１２２は、マイコン１１０から入力される選択指示に従って、チューナ回路１２０からの中間周波信号と端子１２３からのアナログのコンポジット映像信号（映像信号の一種）とを選択的に入力し、同期信号を分離して同期信号制御回路１６１に対して出力するとともに、同期信号が分離された映像信号をＡ／Ｄ変換回路１４１に対して出力する。
【００２６】
同期信号制御回路１６１は、上記同期信号を入力し、発振回路ＣＬＫ２のクロック信号にタイミングを合わせてビデオ信号処理部１３０内の信号を同期させる制御を行う。ビデオタイミング回路１６２は、同回路１６１の指示に従って、生成されるＹＵＶ信号（輝度信号Ｙと色差信号R-Y,B-Yとからなる信号）のタイミングを合わせるためのビデオタイミング信号を生成してクロマデコーダ回路１４３とパネルタイミング回路１６３に対して出力する。パネルタイミング回路１６３は、生成されるＲＧＢ信号（Ｒ信号とＧ信号とＢ信号とからなる信号）のタイミングを合わせるためのパネルタイミング信号を生成してＲＧＢ信号処理部１５０に対して出力する。
ＲＧＢ信号生成部１４０は、Ｉ／Ｆ１６４に接続されており、マイコン１１０からの指示に従って所定の処理を行う。
【００２７】
Ａ／Ｄ変換回路１４１は、同期信号が分離された映像信号を入力してＡ／Ｄ変換を行い、当該映像信号の白レベルと黒レベルとの間の電圧を対応する２５６段階のデジタル階調値に変換する。そして、デジタルの階調値からなるデジタル信号をＹＣ分離回路１４２に対して出力する。ＹＣ分離回路１４２は、このデジタル信号を入力して輝度信号Ｙと搬送色信号Ｃとに分離し、クロマデコーダ回路１４３に対して出力する。
【００２８】
クロマデコーダ回路１４３は、輝度信号Ｙと搬送色信号Ｃを入力し、同輝度信号Ｙと搬送色信号Ｃに対応するＹＵＶ信号を生成し、上記ビデオタイミング信号にタイミングを合わせて、画質調整回路１４４に対して出力する。画質調整回路１４４は、ＹＵＶ信号を入力し、コントラスト調整、ＴＩＮＴ調整、ブライト調整、肌色補正等の色彩調整、白黒伸長調整、遅延調整、水平シャープネス調整、等の処理を行い、調整処理後のＹＵＶ信号をマトリックス回路１４５に対して出力する。
【００２９】
マトリックス回路１４５は、この調整処理後のＹＵＶ信号を入力し、輝度信号Ｙと色差信号R-Y,B-Yとを組み合わせて三原色別の３種類の色信号であるＲＧＢ信号を生成し、画素数変換回路１５１に対して出力する。このＲＧＢ信号は映像を色別の多数（複数）の画素別にデジタルの階調値で表現する映像データであり、同階調値は、大きくなるほど映像が明るくなり（輝度が大きくなり）、小さくなるほど映像が暗くなる（輝度が小さくなる）。ＲＧＢの赤（Ｒ）、緑（Ｂ）、青（Ｂ）が、上記第一の色成分〜第三の色成分をそれぞれ構成する。
【００３０】
ＲＧＢ信号処理部１５０は、Ｉ／Ｆ１６４に接続されており、マイコン１１０からの指示に従って所定の処理を行う。ＲＡＭからなるメモリ１５５は、各部１５１〜１５４に接続されており、ホワイトバランス調整用の調整値等、画質調整用のデータを保持するとともに、１画面分のＲＧＢ信号からなる映像データを格納する。
【００３１】
スケーラとも呼ばれる画素数変換回路１５１は、ＲＧＢ信号を入力し、液晶パネル１８２〜１８４の画素数に合わせて画素数を変換する所定のスケーリング処理を行い、上記パネルタイミング信号にタイミングを合わせて、画素数変換後のＲＧＢ信号をメモリ１５５に書き込む。本実施形態では液晶パネル１８２〜１８４の画素数を横６４０×縦４８０画素であるものとして説明するが、１０２４×７６８画素等であってもよい。メモリ１５５に書き込まれたＲＧＢ信号は、映像を色別の６４０×４８０画素別にデジタルの階調値で表現する映像データであり、同階調値は、０〜２５５の２５６階調であるものとして説明する。
【００３２】
画質調整回路１５２は、メモリ１５５から色別に各画素の階調値を順次参照し、画素数変換後のＲＧＢ信号を構成する階調値に対して、ホワイトバランス、輪郭補正、ＯＳＤ信号の重畳、彩度補正、等の調整処理を行う。γ補正回路１５３は、上記調整処理後のＲＧＢ信号に対してガンマ補正を行い、液晶モジュール１８０の表示のガンマ特性を補償する。
【００３３】
輝度・コントラスト調整回路１５４は、メモリ１５５に格納されている色別の画素別に階調値で表現されるガンマ補正後の映像データに対して輝度調整、コントラスト調整の処理を行い、液晶モジュール１８０の制御回路１８１に対して出力する。以上のＲＧＢ信号生成部１４０およびＲＧＢ信号処理部１５０はスケーラＩＣとして実現されている。
【００３４】
上記制御回路１８１は、画面表示の制御駆動処理を行う電子回路であり、ＲＧＢ信号処理部１５０より出力される映像データから色別にＲ用液晶パネル１８２、Ｇ用液晶パネル、Ｂ用液晶パネル１８４を駆動する電圧を生成する。バックライト１８５は、インバータ１８６から高電圧が供給されて点灯し、生じた光が背面から正面方向へ液晶パネル１８２〜１８４を透過するようになっている。これにより、液晶モジュール１８０は、画面１９９から映像データに対応する映像、すなわち、映像信号に対応する映像を表示する。
【００３５】
（２）ホワイトバランス調整方法：
任意のＲＧＢデータからＣＩＥ表色系におけるＮＴＳＣ色度を表す色度座標を求めるには以下のように計算すればよい。まず、以下の式により、ＲＧＢデータをＸＹＺの三刺激値に変換する。
Ｘ＝0.6070Ｒ＋0.1734Ｇ＋0.2006Ｂ
Ｙ＝0.2990Ｒ＋0.5864Ｇ＋0.1146Ｂ
Ｚ＝0.0000Ｒ＋0.0661Ｇ＋1.1175Ｂ
そして以下の式を用いて、ｘｙ色度座標への変換を行う。
ｘ＝Ｘ／（Ｘ＋Ｙ＋Ｚ）
ｙ＝Ｙ／（Ｘ＋Ｙ＋Ｚ）
【００３６】
なお、ｘｙ色度座標では座標が一つ少なくなり、明るさが違う色が同一の色度座標に存在することになるため、ホワイトバランスの調整中にコントラストを変更しても色度座標は変化せず、ホワイトバランスの調整を続行することが可能である。
以下、ホワイトバランスの調整方法について詳細に説明する。
液晶パネルのホワイトバランス調整は、二点トラッキング法にて行われる。この方法は、１点は高輝度にて、もう一点は低輝度にて、それぞれ入力された映像信号に対して液晶パネルに表示された輝度を測定し、この２点から入力される映像信号に対する液晶パネルの輝度の特性、すなわち入力対輝度特性を決定するものである。
【００３７】
そして、白信号の入力に対して画面に表示された映像のＲＧＢ各色を測色し、測色したＲＧＢ各色のデータより色度座標を求め、白を表す色度座標と一致するか否かを判断する。ＮＴＳＣ色度座標では、白を表す座標はｘ＝０．３１０、ｙ＝０．３１６である。高輝度においては、一致しないときはＲＧＢ各色のうちいずれの色成分が不足しているかを判断し、不足している色成分を上昇させるようにホワイトバランスの調整を行わせ、低輝度においてはいずれの色成分が過剰であるかを判断し、過剰な色成分を減少させるようにホワイトバランスの調整を行わせる。しかる後に、再び画面に表示された映像のＲＧＢ各色を測色し、調整値変更前の色度座標との比較を行う。
【００３８】
このとき、液晶表示装置では、液晶のセル開口率が１００％または０％となることがあり、色度座標が調整値変更前と変化しないことがある。このような場合、コントラストを下げることにより対応する。コントラストを下げると、同一の映像信号に対して表示画面に出力される輝度を高輝度側においては低下させ、低輝度側においては上昇させることとなる。すなわち液晶セルの開口率が高輝度側においては低くなり、低輝度側においては高くなる。
【００３９】
このように、セル開口率の制限に影響されることなく高輝度と低輝度とでホワイトバランスの調整を行うことができ、全輝度における入力対輝度特性を二点トラッキング法により高精度に決定することが可能となる。
【００４０】
図４は、液晶パネルにおける液晶セルのうち、ＲＧＢ各色のうちいずれかのセル開口率とセル開口率に対する出力の関係を示したグラフである。液晶パネルの光源はバックライトであるため、液晶パネルの輝度は、セル開口率の上昇につれて一定の値までは上昇する。しかし、セル開口率が１００％に達すると、入力される映像信号が上昇しても輝度は上昇せず、一定の輝度となる。このような状態のことを飽和状態とする。
【００４１】
本発明においては、ホワイトバランス調整は、ＲＧＢ３色の出力をそれぞれ調整することにより、色度を調整している。この際、ＲＧＢのいずれかにおいてセル開口率が１００％となりそれ以上輝度が上昇しなくなった時点、つまり、各色の出力を上げても色度が変わらないことが検出された時点で、画面のコントラスト（ＲＧＢ３色の出力）を下げることにより、輝度が調整可能範囲にシフトする為調整が可能となる。
【００４２】
図５にホワイトバランスの調整方法を説明するグラフを示した。上に示したグラフが調整開始時のコントラストにおける出力対高輝度側のホワイトバランス調整を開始する各色の液晶セルのセル開口率を９０％とし、同セル開口率９０％においてホワイトを画面より発色させる為には青（Ｂ）の輝度が低い場合にて説明する。
【００４３】
Ｂの輝度が低いときは、Ｂの輝度を上昇させる為にＢのセル開口率を上げる。しかし、セル開口率が１００％としても、白とするにはＢの輝度が不十分なことがある。このような場合、これ以上Ｂの出力を上昇させても飽和状態となり、それ以上青の輝度は上昇しないため調整できない。むろん、赤（Ｒ）や緑（Ｇ）の出力を下げれば調整は可能であるが、ＲやＧの調整精度が低下し、本発明の目的と異なるため行わない。
【００４４】
そこで、Ｂの輝度が飽和状態となった時点でコントラストを下げる。すると、グラフでいう内側にシフトする為、調整可能範囲へと移動し、調整が可能となる。低輝度側も同様に３色の輝度を調整する。これを、自動調整の中で繰り返すことにより、高精度なホワイトバランスの調整を実現する。
【００４５】
（３）調整用コンピュータの構成：
ＰＣ（調整用コンピュータ）４０は、図６に示すように、バス４１ｈに、ＣＰＵ４１ａ、ＲＯＭ４１ｂ、ＲＡＭ４１ｃ、ディスプレイＩ／Ｆ４１ｄ、ドライバ機能を有するハードディスク（ＨＤ）４１ｅ、入力Ｉ／Ｆ４１ｆ、Ｉ／Ｏポート４１ｇ、通信ポート４０ａ、Ｉ／Ｏボード４０ｂ、ＴＶＩ／Ｆ４０ｃ等が接続されている。通信ポート４０ａは、例えば、ＬＰＴポートやＲＳ−２３２ポートやＣＯＭポート等を利用することができる。ディスプレイＩ／Ｆ４１ｄにはディスプレイ４１ｄ１が接続され、入力Ｉ／Ｆ４１ｆにはキーボード４１ｆ１とマウス４１ｆ２が接続されている。ポート４０ａにはケーブル４９を介してＴＶ１００のＩＩＣバスデータポート１０３が接続され、Ｉ／Ｏボード４０ｂにはケーブル３９を介してカラーアナライザ３０が接続されている。ＴＶＩ／Ｆ４０ｃには信号ケーブル２９を介してＴＶの端子１２３が接続されている。
【００４６】
ＣＰＵ４１ａは、ＲＡＭ４１ｃをワークエリアとして使用しながらＲＯＭ４１ｂに書き込まれた所定の制御プログラムを実行する。ＨＤ４１ｅにはガンマ補正用の補正テーブルを決定してＴＶに記憶させる処理を行うアプリケーションプログラム（ＡＰＬ）や基準映像信号を生成させるＡＰＬや理想の輝度直線（曲線）が記憶されており、適宜ＲＡＭに読み出されてＡＰＬが実行される。
【００４７】
以上のハードウェアに基づいて、ＰＣ４０は、ＴＶ１００の画面に白色のテストパターンを表示させるとともに映し出されたテストパターンをカラーアナライザに測色させ、同測色の結果に応じてホワイトバランスを調整するための調整値を同ＴＶ１００に設定するための処理を行う。
【００４８】
なお、ＰＣ４０には、デスクトップ型、ノート型、モバイル対応等種々のＰＣを採用可能であるが、ＰＣ以外のコンピュータも採用可能である。本調整用コンピュータ４０およびカラーアナライザ３０が液晶表示装置にホワイトバランスの調整値を設定する調整装置を構成する。
【００４９】
（４）ホワイトバランス調整処理と液晶テレビジョン調整方法の説明：
図７は、本システムの調整処理の流れを示しており、調整用コンピュータ４０と液晶ＴＶ１００の処理をフローチャートにより示している。これらのフローは、ＰＣのＣＰＵ４１ａにて実行されるホワイトバランス調整プログラム、またはＴＶのマイコン１１０にて実行されるホワイトバランス調整プログラムによって行われるものである。
【００５０】
液晶ＴＶ１１のマイコン１１０内に、当該処理を行うホワイトバランス調整用のプログラムを備えている場合は、ＰＣ４０は不要となり、以下にて行うＰＣ４０の処理はマイコン１１０にて行われる。。本実施例においてはＰＣ４０のＣＰＵ４１ａにてホワイトバランス調整プログラムが実行されるものとする。
【００５１】
なお、ＴＶを製造する工場での最終調整工程において、ＴＶの画質調整を行うものとする。ここで、ホワイトバランス調整値の初期値が書きこまれたＥＥＰＲＯＭ１１２がＴＶに実装されたうえで本処理が行われる。
【００５２】
工場の作業者が画質調整を行おうとするＴＶ１００の電源をオンにすると、同ＴＶは、ホワイトバランス調整値の初期値をＥＥＰＲＯＭ１１２内の所定のアドレスから取得してメモリ１５５に記憶させるとともに、端子１２３から映像信号の基準信号の入力受け付けを開始する（ステップＳ２１０〜Ｓ２１５）。すなわち、ＴＶ１００は、ホワイトバランス調整値の初期値をメモリ１５５に保持しつつ、画質調整回路１５２にてホワイトバランス調整値に基づいて入力された映像信号に調整を行い、映像データを液晶モジュール１８０に対して出力可能な状態で待機する。
【００５３】
なお、ここまでのＴＶ１００の動作は通常の使用時で実行される立ち上げ動作においても行われる動作である。以上より、ステップＳ２１０〜Ｓ２１５の処理を実行するマイコン１１０が、映像データの第一色成分〜第三色成分の出力比を設定することによりホワイトバランスの調整値を設定する調整値設定手段を構成する。
【００５４】
次に、ＴＶ１００にＰＣ４０を接続し、作業者がＰＣ４０において所定の操作を行って調整フローを開始させると（ステップＳ１１０）、ＴＶ１００はステップＳ２２０にて通常モードから工場モードに切り換えられる。この工場モードにおいては、ＥＥＰＲＯＭ１１２の所定のアドレスに記憶されたホワイトバランス調整値が調整用コンピュータ４０の要求に応じて書き換え可能となる。
【００５５】
一方、ＰＣ４０においてステップＳ１１０で調整フローが開始されると、ステップＳ１１５にてＴＶ１００のＥＥＰＲＯＭ１１２からホワイトバランス調整値の初期値を取得し、ＲＡＭ４１ｃに記憶させる。そして、ステップＳ１２０にてＨＤ４１ｅに記憶されたＡＰＬにより基準信号を生成し、同基準信号を信号待ち状態で待機しているＴＶ１００に出力する。この基準信号は、白を表す映像信号である。以上より、ステップＳ１２０の処理を実行するＰＣ４０が、液晶表示装置に対して白色の映像信号を出力する白映像信号出力手段を構成する。
【００５６】
すると、信号待ち状態で待機しているＴＶ１００は、入力された基準信号のホワイトバランスを設定された調整値にて補正しつつ液晶モジュール１８０に出力する（ステップＳ２３０）。液晶モジュール１８０に映し出される映像は、白または白に近い色となる。カラーアナライザ３０は、ＣＣＤ撮像素子３１等によって、液晶モジュール１８０に表示される映像を画像として撮像し、ＲＧＢ各色の輝度値として検出する。なお、カラーアナライザ３０はＰＣ４０と接続されており、ＰＣ４０にて実行されるＡＰＬはカラーアナライザ３０から入力されるＲＧＢ各色の輝度値より色度（ｘｎ，ｙｎ）を計算してＲＡＭ４１ｃに格納する（ステップＳ１２５）。このときのｎはｎ＝１とする。
【００５７】
ステップＳ１３０では、ＰＣ４０はステップＳ１２５にて計算された色度に基づき、ＲＧＢのうちいずれの色成分を変化させると白色となるかを判断し、液晶モジュール１８０に表示される色が白色となるようなホワイトバランス調整値を生成し、生成した調整値をＴＶ１００に出力する。すると、ＴＶ１００はメモリ１５５の調整値をステップＳ１３０にてＰＣ４０が出力した値に変更を行う（ステップＳ２３５）。
【００５８】
ステップＳ２３５が終了すると、基準信号は変更された調整値にてホワイトバランスを調整され、液晶モジュール８０へと出力されるようになる。カラーアナライザ３０は、液晶モジュール１８０に映し出される映像を撮像してＲＧＢ各色の輝度値として検出し続けているので、調整値変更終了後、ＰＣ４０は再びカラーアナライザ３０からＲＧＢ各色の輝度値を取得して色度を計算し、各色度を（ｘｎ＋１，ｙｎ＋１）としてＲＡＭ４１ｃに格納する（ステップＳ１３５）。調整フローの間は、色度を表す情報は、何回目の調整後に生成された情報であるかを示す情報を付与して、全回の色度を表す情報がＲＡＭ４１ｃに保持される。
【００５９】
以上より、ステップＳ１２５およびステップＳ１３５の処理を実行するＰＣ４０およびカラーアナライザ３０が、出力された映像信号に基づいて液晶表示装置の画面に表示される映像から上記第一色成分〜第三色成分の輝度を測定して色度情報を生成する色度情報取得手段を構成する。
【００６０】
そして、色度（ｘｎ，ｙｎ）と色度（ｘｎ＋１，ｙｎ＋１）とを比較することにより、調整値の変更前と変更後の色度が変化しているか否かを判断する（ステップＳ１４０）。色度が変化しているとき、すなわちｘｎ≠ｘｎ＋１またはｙｎ≠ｙｎ＋１のときは条件成立としてステップＳ１４５に進み、色度が変化していないとき、すなわちｘｎ＝ｘｎ＋１かつｙｎ＝ｙｎ＋１のときは条件不成立としてステップＳ１５５に進む。色度が変化しているとはＲＧＢ各色の輝度が飽和状態では無いことを示しており、色度が変化していないとはＲＧＢ各色の輝度が飽和状態であることを示している。
【００６１】
以上より、ステップＳ１４０の処理を実行するＰＣ４０が、画面に表示される映像の第一色成分〜第三色成分の出力を所定量変化させて上記色度情報が変化するか否かを判断する色度飽和判断手段を構成する。
【００６２】
ステップＳ１４０にて条件成立となりステップＳ１４５に進むと、ＰＣ４０は、コントラストの低下を指示する制御信号をＴＶ１００に出力する。そしてステップＳ１５０にてｎの値を１増加させ（インクリメント）（ステップＳ１５０）、ステップＳ１３０からの処理を繰り返す。
【００６３】
一方、ステップＳ１４０にて条件不成立となり、ステップＳ１５５に進むと、カラーアナライザ３０にて撮像されたＲＧＢ各色の輝度値より計算された色度が、ＮＴＳＣ色度座標において白とされるｘ＝０．３１０、ｙ＝０．３１６に対して、所定の閾値内に収まっているか否かを判断する。同色度が所定の閾値内であるときは条件成立としてステップＳ１６０に進み、同色度が所定の閾値外であるときは条件不成立としてステップＳ１５０に進む。むろんこの時の色度座標としてはＨＤＴＶ色度座標であっても、その他の色度座標であっても構わない。
【００６４】
以上より、ステップＳ１５５の処理を実行するＰＣ４０が、上記色度飽和判断手段にて上記色度情報が変化していると判断されたとき、上記色度情報が白色の色度情報と略一致したか否かを判断する色度判定手段を構成する。
【００６５】
ステップＳ１５５にて条件成立となりステップＳ１６０に進むと、ＰＣ４０は調整終了を示す制御信号をＴＶ１００に出力して調整処理を終了する。
【００６６】
ステップＳ２３５終了後、ステップＳ２４０では、ＴＶ１００はコントラストの低下を指示する制御信号を受け付けたか否かを判断し、コントラストの低下を指示する制御信号を受け付けたときはコントラストを所定量低下させるとともに条件成立としてステップＳ２３５からの処理を繰り返し、同制御信号を受け付けていないときは条件不成立としてステップＳ２４５に進む。
【００６７】
以上より、ステップＳ１４５の処理を実行するマイコン１１０が、色度飽和判断手段にて上記色度情報が変化していないと判断したとき、上記液晶表示装置を制御して上記画面のコントラストを所定量低下させるコントラスト調整指示手段を構成し、ステップＳ２４０の処理を行うマイコン１１０が、調整装置の制御によりコントラストを所定量低下させるコントラスト調整手段を構成する。所定量は、適宜、工場の作業者が設定しても構わないし、予め設定されていても構わない。
【００６８】
ステップＳ２４５では、ＴＶ１００は、調整終了を示す制御信号を受け付けたか否かを判断し、同制御信号を受け付けた場合は条件成立としてステップＳ２５０に進み、同制御信号を受け付けていない場合は条件不成立としてステップＳ２４０からの処理を繰り返す。そして、ステップＳ２４５にて条件成立となり、ステップＳ２５０に進むと、ＴＶ１００はメモリ１５５から調整値を読み込み、ＥＥＰＲＯＭ１１２に格納して調整処理を終了する。
【００６９】
以上より、ステップＳ１６０の処理を実行するＰＣ４０が、上記液晶表示装置に所定の調整値を設定する調整値設定手段を構成し、ステップＳ２５０の処理を実行するマイコン１１０が、上記調整装置により設定される調整値を上記半導体メモリに記憶させる調整値記憶手段を構成する。
【００７０】
次に、上記構成からなる本実施形態の動作を説明する。
工場の作業者がホワイトバランスの調整を行う際は、まず、ＴＶ１００の電源をオンにする。すると、同ＴＶ１００はホワイトバランス調整値の初期値をＥＥＰＲＯＭ１１２内の所定のアドレスから取得してメモリ１５５に記憶させるとともに、端子１２３からの映像信号の基準信号の入力受け付け可能な状態で待機する（ステップＳ２１０〜Ｓ２１５）。
【００７１】
次に、作業者は、ＴＶ１００とＰＣ４０とを接続し、ＰＣ４０にて所定の操作を行って調整フローを開始させる。するとＴＶ１００は通常モードから工場モードに切り替えられ、ＴＶ１００のＥＥＰＲＯＭ１１２におけるホワイトバランス調整値の格納される所定のアドレスがＰＣ４０から書き換え可能となる（ステップＳ１１０、ステップＳ２２０）。
【００７２】
ＰＣ４０にて、調整フローが開始されると、ＰＣ４０は、ＥＥＰＲＯＭ１１２からホワイトバランス調整値の初期値を取得し、白を表す基準信号をＴＶ１００に出力し、ＴＶ１００の画面に基準信号に対応する映像を表示させる（ステップＳ１２０、ステップＳ２３０）。
【００７３】
ＴＶ１００の表示画面に表示される基準信号に対応する映像は、カラーアナライザ３０にて撮像され、ＲＧＢ各色の輝度値を表す電圧信号としてＰＣ４０に出力される。するとＰＣ４０は、カラーアナライザ３０より入力される輝度値を表す電圧信号より、色度を表す情報を生成し、ＲＡＭ４１ｃに格納する（ステップＳ１２５）。
【００７４】
そして色度を表す情報より、ＴＶ１００の画面に表示される映像が白色となるようなホワイトバランスの調整値を生成し、生成したホワイトバランス調整値をＴＶ１００に設定させる。するとＴＶ１００には、映像のホワイトバランスがより適正に調整されてより白に近い映像が画面に表示される（ステップＳ１３０、ステップＳ２３５）。
【００７５】
そして、ＰＣ４０は、カラーアナライザ３０より入力されるＲＧＢ各色の輝度値を表す電圧信号を取得し、色度を表す情報を生成しＲＡＭ４１ｃに格納する（ステップＳ１３５）。前回生成した色度を表す情報と今回生成した色度を表す情報とを比較して、前回と今回とでＴＶ１００に表示される映像の色度が変化しているか否かを判断し（ステップＳ１４０）、色度が変化しているときは色度が白色のものと一致しているか否かを判断し（ステップＳ１５５）、色度が変化していないときはＴＶ４０のコントラストを下げさせてステップＳ１３０からの処理を行う（ステップＳ１４５、Ｓ１５０、ステップＳ２４０）。
【００７６】
一方、ステップＳ１５５の判断処理にて色度が白色のものと一致していないと判断したときは、ステップＳ１３０からの処理を繰り返し、色度が白色のものと一致していると判断したときは、ＴＶ１００のＥＥＰＲＯＭ１１２の所定のアドレスにホワイトバランス調整値を記憶させ（ステップＳ１６０、ステップＳ２４５、Ｓ２５０）、調整処理を終了する。
【００７７】
（５）まとめ：
つまり、ＰＣ４０がＴＶ１００に白色の映像信号を出力し、ＴＶ１００の画面に表示される映像からＲＧＢ各色成分の輝度を測定して色度情報を生成し、ＲＧＢ色成分のいずれかの出力を所定量変化させて上記色度情報が変化するか否かを判断する。そして、色度情報が変化していないきはＴＶ１００のコントラストを所定量低下させ、色度情報の再取得・再判断を行う。一方、色度情報が変化しているときは色度情報が白色の色度情報と略一致したか否かを判断し、略一致したときは調整値をＥＥＰＲＯＭ１１２に記憶させ、略一致しないときは色度情報の再取得・再判断を行う。
【００７８】
以上説明したように、本実施例に対応する請求項２にかかる液晶表示装置調整システムでは、入力される映像信号から第一色成分〜第三色成分で表現され、かつ、画面を構成する多数の画素別にデジタルの階調値で表現される映像データを生成するとともに、上記映像データのホワイトバランスを調整する為の調整値を不揮発性の半導体メモリに記憶し、同調整値を参照して上記映像データのホワイトバランス調整を行って映像を所定の画面に表示する液晶表示装置と、同液晶表示装置にホワイトバランス調整の為の調整値を設定する調整装置と、を備える液晶表示装置調整システムにおいて、上記液晶表示装置は、上記映像データの上記第一色成分〜第三色成分の出力比を設定することによりホワイトバランス調整の為の調整値を設定する調整値設定手段と、上記調整装置の制御によりコントラストを所定量低下させるコントラスト調整手段と、上記調整装置により設定される調整値を上記半導体メモリに記憶させる調整値記憶手段と、を備え、上記調整装置は、上記液晶表示装置に対して白色の映像信号を出力する白映像信号出力手段と、同出力された映像信号に基づいて同液晶表示装置の画面に表示される映像から上記第一色成分〜第三色成分の輝度を測定して色度情報を生成する色度情報取得手段と、上記画面に表示される映像の第一色成分〜第三色成分の出力を所定量変化させて上記色度情報が変化するか否かを判断する色度飽和判断手段と、上記色度飽和判断手段にて上記色度情報が変化していないと判断されたとき、上記液晶表示装置を制御して上記画面のコントラストを所定量低下させるコントラスト調整指示手段と、上記色度飽和判断手段にて上記色度情報が変化していると判断されたとき、上記色度情報が白色の色度情報と略一致したか否かを判断する色度判定手段と、上記液晶表示装置に所定の調整値を設定する調整値設定手段と、を備える構成としてある。
【００７９】
つまり、上記調整値設定手段が上記映像データの上記第一色成分〜第三色成分の出力比を設定することによりホワイトバランス調整の為の調整値を設定した後、上記白映像信号出力手段が上記液晶表示装置に対して白色の映像信号を出力し、上記色度情報取得手段が同出力された映像信号に基づいて同液晶表示装置の画面に表示される映像から上記第一色成分〜第三色成分の輝度を測定して色度情報を生成すると、上記色度飽和判断手段が上記画面に表示される映像の第一色成分〜第三色成分の出力を所定量変化させて上記色度情報が変化するか否かを判断する。そして、上記コントラスト調整指示手段は上記色度飽和判断手段にて上記色度情報が変化していないと判断したとき、上記液晶表示装置を制御して上記画面のコントラストを所定量低下させ、上記コントラスト調整手段が上記調整装置の制御によりコントラストを所定量低下させて、上記色度情報取得手段に色度情報を再取得させる。また、上記色度判定手段は、上記色度飽和判断手段にて上記色度情報が変化していると判断されたとき、上記色度情報が白色の色度情報と略一致したか否かを判断し、略一致したときは上記調整値設定手段に上記液晶表示装置に所定の調整値を設定させ、上記調整値記憶手段が上記調整装置により設定される調整値を上記半導体メモリに記憶させる。一方、略一致しないときは色度情報取得手段が色度情報の再取得を行わせる。
上記のように構成した請求項２に記載の発明においては、調整値以上の高輝度側、調整値以下の低輝度側においても、意図するホワイトバランス調整が可能となり、設計値に近い白色を実現することが可能となる。また、製品毎のバラツキが吸収され、品質のよい製品を提供できる。そして、仕向地等により設計値が異なる場合、個別に調整方法を決めていたが、同一の環境でのホワイトバランスの調整が可能となり、統一した環境での生産が可能となる。さらに、製品ごとのバラツキを考慮せずに、ダイナミックレンジ一杯まで使用した調整が可能となる。
【００８０】
そして、請求項３にかかる発明では、上記請求項２に記載の液晶表示装置調整システムにおいて、高輝度にてホワイトバランスの調整を行う場合、上記色度飽和判断手段は、上記第一色成分〜第三色成分のいずれかの出力を所定量上昇させて上記色度情報が変化するか否かを判断する構成としてある。
【００８１】
さらに、請求項４にかかる発明では、上記請求項２または上記請求項３に記載の液晶表示装置調整システムにおいて、低輝度にてホワイトバランスの調整を行う場合、上記色度飽和判断手段は、上記第一色成分〜第三色成分のいずれかの出力を所定量下降させて上記色度情報が変化するか否かを判断する構成としてある。
【００８２】
また、請求項５にかかる発明では、上記請求項２〜４のいずれかに記載の液晶表示装置調整システムにおいて、上記液晶表示装置は、アンテナを介して所望周波数のテレビジョン信号を受信するとともに受信したテレビジョン信号から所要の信号だけを選択しアナログ映像信号を出力するチューナと、情報を書き換え可能な不揮発性の半導体メモリと、入力されたアナログ映像信号をアナログ／デジタル変換するとともに、ＲＧＢ色成分で表現されるＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、入力される映像信号に基づき所定の画面に映像を表示する液晶モジュールと、これらを制御するマイコンと、を備える構成としてある。
【００８３】
そして、請求項６にかかる液晶表示装置では、入力される映像信号から第一色成分〜第三色成分で表現され、かつ、画面を構成する多数の画素別にデジタルの階調値で表現される映像データを生成するとともに、上記映像データのホワイトバランスを調整する為の調整値を不揮発性の半導体メモリに記憶し、同調整値を参照して上記映像データのホワイトバランス調整を行って映像を所定の画面に表示する液晶表示装置であって、入力される映像信号の上記第一色成分〜第三色成分の出力比を設定することによりホワイトバランス調整の為の調整値を設定する調整値設定手段と、上記画面に白色の映像信号を出力する白映像信号出力手段と、同出力された映像信号に基づいて同液晶表示装置の画面に表示される映像の、上記第一色成分〜第三色成分の輝度を測定して色度情報を取得する色度情報取得手段と、上記画面に表示される映像の第一色成分〜第三色成分の出力を所定量変化させて上記色度情報が変化するか否かを判断する色度飽和判断手段と、上記色度飽和判断手段にて上記色度情報が変化していないと判断されたとき、上記液晶表示装置を制御して上記画面のコントラストを所定量低下させるコントラスト調整手段と、上記色度飽和判断手段にて上記色度情報が変化していると判断されたとき、上記色度情報が白色の色度情報と略一致したか否かを判断する色度判定手段と、調整値を不揮発性メモリに記憶する調整値記憶手段と、を備える構成としてある。
【００８４】
つまり、上記調整値設定手段が入力される映像信号の上記第一色成分〜第三色成分の出力比を設定することによりホワイトバランスを調整する為の調整値を設定し、上記白映像信号出力手段が上記画面に白色の映像信号を出力し、上記色度情報取得手段が同出力された映像信号に基づいて同液晶表示装置の画面に表示される映像の上記第一色成分〜第三色成分の輝度を測定して色度情報を取得して、上記色度飽和判断手段が上記画面に表示される映像の第一色成分〜第三色成分の出力を所定量変化させて上記色度情報が変化するか否かを判断する。そして、上記コントラスト調整指示手段は上記色度飽和判断手段にて上記色度情報が変化していないと判断したとき、上記コントラスト調整手段が上記調整装置の制御によりコントラストを所定量低下させて、上記色度情報取得手段に色度情報を再取得させる。また、上記色度判定手段は、上記色度飽和判断手段にて上記色度情報が変化していると判断されたとき、上記色度情報が白色の色度情報と略一致したか否かを判断し、略一致したときは上記調整値記憶手段に調整値を上記半導体メモリに記憶させる。一方、略一致しないときは色度情報取得手段が色度情報の再取得を行わせる。 
【００８５】
以上の構成を踏まえた上で、請求項１の発明は、アンテナから所定の放送方式によるアナログのテレビジョン信号を入力して中間周波信号を作成して出力するチューナと、情報を書き換え可能な不揮発性の半導体メモリと、入力されたアナログ映像信号をアナログ／デジタル変換するとともに、ＲＧＢ映像信号を生成し、上記半導体メモリに記憶されたホワイトバランスの調整値を参照してＲＧＢ映像信号のＲＧＢ色成分のホワイトバランス調整を行い、ホワイトバランスの調整された映像を出力するスケーラＩＣと、入力されるＲＧＢ映像信号に基づき所定の画面に映像を表示する液晶モジュールと、上記チューナと上記半導体メモリと上記スケーラＩＣと上記液晶モジュールとを制御するマイコンと、を備える液晶テレビジョンと、上記液晶テレビジョンの画面を撮像し、撮像した映像の輝度に対応する情報を出力可能なカラーアナライザを備え、液晶テレビジョンの画面に白色のテストパターンを表示させ、同画面に表示されたテストパターンを上記カラーアナライザにて撮像させ、撮像させた映像の輝度に対応する情報を取得し、取得した情報に応じてホワイトバランスを調整するための調整値を同液晶テレビジョンに設定するコンピュータと、を備える液晶テレビジョン調整システムにおいて、上記マイコンは、ＲＧＢ映像信号のＲＧＢ色成分の出力比を設定することによりホワイトバランスの調整値を設定し、上記コンピュータの制御によりコントラストを所定量低下させ、上記コンピュータにより設定される調整値を上記半導体メモリに記憶させ、上記コンピュータは、上記液晶テレビジョンに対して基準信号であるところの白色の映像信号を出力し、同出力された映像信号に基づいて上記液晶テレビジョンの画面に表示される映像をカラーアナライザにて撮像させ、撮像させた映像の各ＲＧＢ色成分の輝度値を表す情報を取得して色度を表す情報を生成し、高輝度においては上記画面に表示される映像のＲＧＢ色成分の出力を所定量上昇させて上記色度を表す情報が変化するか否かを判断し、低輝度においては上記画面に表示される映像のＲＧＢ色成分の出力を所定量下降させて上記色度を表す情報が変化するか否かを判断し、上記色度を表す情報が変化していないと判断したときは上記液晶テレビジョンを制御して上記画面のコントラストを所定量低下させ、上記色度を表す情報が白色の色度を表す情報と略一致したとき上記記液晶テレビジョンに調整値を設定する構成としてある。
【００８６】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００８７】
【図１】液晶テレビジョン調整システムの一例の概略構成を示すシステム構成図である。
【図２】カラーアナライザーの構成を示すブロック図である。
【図３】液晶テレビジョンの構成を示すブロック図である。
【図４】液晶パネルにおける液晶セルのセル開口率と出力の関係を示した図である。
【図５】ホワイトバランスの調整方法を説明する図である。
【図６】調整用コンピュータの概略構成を示すブロック図である。
【図７】液晶テレビジョン調整システムの調整処理の流れをフローチャートである。
【符号の説明】
【００８８】
３０…カラーアナライザー
４０…調整用コンピュータ（ＰＣ）
４０ａ…通信ポート
４０ｂ…Ｉ／Ｏボード
４１ａ…ＣＰＵ
４１ｂ…ＲＯＭ
４１ｃ…ＲＡＭ
４１ｅ…ハードディスク（ＨＤ）
１００…液晶テレビジョン（ＴＶ）
１０１…本体部
１０２…ＩＩＣバス
１０３…ＩＩＣバスデータポート
１１０…マイコン
１１１…操作パネル
１１２…ＥＥＰＲＯＭ
１３０…ビデオ信号処理部
１５５…メモリ
１８０…液晶モジュール（液晶表示部）
１８１…制御回路
１８２〜１８４…液晶パネル
１８５…バックライト
１８６…インバータ
１９０…電源装置
１９９…表示画面
ＣＬＫ１，ＣＬＫ２…発振回路
【図１】
2007150480.tif 000003
【図２】
2007150480.tif 000004
【図３】
2007150480.tif 000005
【図４】
2007150480.tif 000006
【図５】
2007150480.tif 000007
【図６】
2007150480.tif 000008
【図７】
2007150480.tif 000009